(57)【要約】【課題】ＩＨクッキングヒーターを用いて調理時に発生する湯気・油分を含む湯気をおびた空気はガスレンジを用いて調理時に比較してＩＨクッキングヒーター上部に多く滞留し調理人が不快を感じる不快感を解消する。【解決手段】ＩＨクッキングヒーター表面とフードの下部内側に送風口を設けこの送風口より排出する空気によりＩＨクッキングヒーターとフードの間の空気に回転を与えサイクロン状態にする、フードとオイルグリッドを半球形にして空気の動きをスムーズにする。【選択図】図１
2012057811.tif 000002
【特許請求の範囲】
【請求項１】
レンジフードのフード内周下部に複数の送風口とＩＨクッキングヒーター端部に複数
の送風口を設け前記両者の送風口より空気を排出し湯気・油分を含み熱気をおびた空気に
回転を与えサイクロン状態にする事を特長とするレンジフード。
【請求項２】
レンジフードのフードが空気に回転を与えるために半球形状でありオイルグリッドが半
球形（お椀形）の形状である事を特長とする請求項１に記載のレンジフード。
―１―
【発明の詳細な説明】
【技術分野】
【０００１】
本発明は、ＩＨクッキングヒーターを使用し、調理時に発生する湯気・油分を含む熱気をおびた空気をフード内に捕集し、送風機で屋外に排出するレンジフードにおいて、ＩＨクッキングヒーターや調理器具上部の湯気・油分を含む熱気をおびた空気に関する。
【背景技術】
【０００２】
ＩＨクッキングヒーターを用いて調理時にＩＨクッキングヒーター上部の湯気・油分を含む熱気をおびた空気の滞留を解消するためにフードを下げてＩＨクッキングヒーターとフードの間隔を狭めていた。
【先行技術文献】
【特許文献】
【０００３】
【特許文献１】特開２００２−１６８４９６号
【発明の概要】
【発明が解決しようとする課題】
【０００４】
ＩＨクッキングヒーターを用いて調理時に調理器具上部に発生し滞留する湯気・油
分を含む熱気をおびた空気に複数の空気送風口より吐出する空気により回転を与えサイク
ロン状態にしフードファンの吸気効率を高める。
【０００５】
ＩＨクッキングヒーターを用いて調理時に発生する湯気・油分を含む熱気をおびた空気はガスレンジを用いての調理時に比較して調理器具上部に多く滞留し調理人が不快を感じる不快感を解消する。
【課題を解決するための手段】
【０００６】
レンジフードのフード内周下部に複数の送風口とＩＨクッキングヒーター端部に複数
の送風口を設け前記両者の送風口より空気を吐出し湯気・油分を含み熱気をおびた空気に
回転を与えサイクロン状態にする事を特長とするレンジフード。（請求項１）
レンジフードのフードが空気に回転を与えるために半球形状でありオイルグリッドが半
球形（お椀形）の形状である事を特長とする請求項１のレンジフード。（請求項２）
図面に基づき説明する
ＩＨクッキングヒーター（６）表面端、又はＩＨクッキングヒーター（６）周囲に空気を吐出するための複数の空気送風口Ａ（１）を設ける、そしてレンジフードのフード（２）下部に空気を吐出する空気送風口Ｂ（３）を複数設けオイルグリッド（４）を半球形（お椀形）又は円錐形、円柱形にする、そして送風口Ｂ（３）部分に小型送風機を設ける、又はシロッコファンケーシング（５）と送風口Ｂ（３）間に送風管を設けシロッコファンの風圧により送風口Ｂ（３）に空気を送る、又はシロッコファンケーシング（５）以外から送風機で送風しても良い。
【発明の効果】
【０００７】
ＩＨクッキングヒーター（６）を用いて調理時にフード（２）下部周囲内側に設けた空気
送風口Ｂ（３）より送出する空気とＩＨクッキングヒーター（６）表面端周囲又はＩＨク
ッキングヒーター（６）周囲に設けた複数の空気送風口Ａ（１）より吐出する空気は調理
時に発生する湯気油分を含み熱気をおびて上昇しようとする空気に回転を与えサイクロン
状態になりレンジフードのファンにより吸気する効率を高め調理人が不快と感じる調理器
具上部の湯気油分を含み熱気をおびた空気の滞留は解消する。
半球形をしたフード（２）内側と半球形のオイルグリッド（４）は湯気・油分を含み熱気
のある空気の回転を妨げない。
【図面の簡単な説明】
【０００８】
【図１】シロッコファンケーシング（５）と半球形フード（２）が一体型のレンジフードの正面を示す図
【図２】フード（２）内より吸気をしフード（２）内に送風するレンジフードの床面を示す図
【図３】ＩＨクッキングヒーター（６）の斜視を示す図
【図４】フード（２）外より吸気をしフード（２）内に送風するレンジフードの床面を示す図
【発明を実施するための形態】
【０００９】
ＩＨクッキングヒーター（６）に通電し調理を始めるとＩＨクッキングヒーター（６）が熱を帯び調理器具・食材が加熱されＩＨクッキングヒーター（６）上に熱気油分を含む熱い空気が発生し上昇しようとする、この加熱され上昇しようとする熱い空気より低い温度である室温の空気をＩＨクッキングヒーター（６）端部に設けた複数の送風口Ａ（１）よりＩＨクッキングヒーター（６）表面近くに弱送風する、この送風された室温の空気は加熱され上昇しようとする空気の上昇をさらにうながす、そして送風口Ａ（１）より送風する弱風をＩＨクッキングヒーター（６）上の加熱され上昇しようとする空気に回転促すべく送風する、そして加熱された空気は回転しつつ上昇する。
フード（２）上部の排気ファンを可動させるとＩＨクッキングヒーター（６）周辺で発生
した湯気油分を含み加熱された空気がフード（２）内に捕集され室外に排出される際にフ
ード（２）内を通過時において、フード（２）下部の複数の空気送風口Ｂ（３）に設けた
サイクロン発生用小形ファンによりフード（２）内より吸気されフード（２）内に空気送
風口Ｂ（３）より送風されるとこの送風された空気はフード（２）が半球形ゆえにフード
（２）内を通過しようとする加熱された空気とまさにフード（２）内に捕集されるフード
（２）下の加熱された空気に回転を与え加熱した空気は回転する。
そして前記載ＩＨクッキングヒーター（６）が熱を帯び調理器具・食材などの発熱により
ＩＨクッキングヒーター（６）上部に発生した湯気油分を含む加熱された空気はＩＨクッ
キングヒーター（６）端の複数の空気送風口Ａ（１）より送風された空気により回転を促
されるとともに上昇し、フード（２）下部の複数の空気送風口Ｂ（３）からの送風により
回転する加熱された空気と合いまってサイクロン状態になり排気ファンにより排気される。
【産業上の利用可能性】
【００１０】
本発明のレンジフードは、ＩＨクッキングヒーターの使用時に熱気の排出に適している。
【符号の説明】
【００１１】
１、送風口Ａ
２、フード
３、送風口Ｂ
４、オイルグリッド
５、シロッコファンケーシング
６、ＩＨクッキングヒーター
【図１】
2012057811.tif 000003
【図２】
2012057811.tif 000004
【図３】
2012057811.tif 000005
【図４】
2012057811.tif 000006
【手続補正書】
【提出日】平成22年9月6日(2010.9.6)
【手続補正１】
【補正対象書類名】特許請求の範囲
【補正対象項目名】全文
【補正方法】変更
【補正の内容】
【特許請求の範囲】
【請求項１】
レンジフードのフード内周下部に複数の送風口とＩＨクッキングヒーター端部に複数の送風口を設け前記両者の送風口より空気を排出し湯気・油分を含み熱気をおびた空気に回転を与えサイクロン状態にする事を特長とするレンジフード。
【請求項２】
レンジフードのフードが空気に回転を与えるために半球形状でありオイルグリッドが半球形（お椀形）の形状である事を特長とする請求項１に記載のレンジフード。